(57)【要約】  【課題】  車両室内のマップランプのスイッチの位置を夜間等でも容易に把握できる照明装置を提供することを目的の一つとする。また、車両室内のデザイン性の向上に寄与する照明装置を提供することをさらなる目的とする。さらに、取り付け作業効率の点でも優れた照明装置を提供することも目的の一つとする。  【解決手段】  運転席と助手席との間の車両室内天井部に設けられる照明装置であって、  放出光の一部が車両室内の照明に使用される第１光源と、  乗員の周囲の照明に使用される第２光源と、  前記第２光源を制御するスイッチであって、前記第１光源の近傍に設けられ、且つ前記第１光源側の縁部が前記第１光源の放出光の一部を利用して発光するスイッチと、  を備える照明装置とする。  【選択図】  図２
2006232092.tif 000002
【特許請求の範囲】
【請求項１】
運転席と助手席との間の車両室内天井部に設けられる照明装置であって、
放出光の一部が車両室内の照明に使用される第１光源と、
乗員の周囲の照明に使用される第２光源と、
前記第２光源を制御するスイッチであって、前記第１光源の近傍に設けられ、且つ前記第１光源側の縁部が前記第１光源の放出光の一部を利用して発光するスイッチと、
を備える照明装置。
【請求項２】
前記スイッチが、前記照明装置が前記車両室内天井部に取り付けられた状態において、前記車両室内を照明する光の放出位置からみて前記乗員側に位置するように前記照明装置内で配置されている、請求項１に記載の照明装置。
【請求項３】
前記スイッチの一部が導光体により形成され、該導光体の一端が前記第１光源の放出光の一部を受光する受光部となり、前記導光体の他の一端が前記受光部が受光した光を放出する発光部となる、請求項１又は２に記載の照明装置。
【請求項４】
前記スイッチの発光領域が線状である、請求項１〜３のいずれかに記載の照明装置。
【請求項５】
前記第１光源の放出光の一部を色変換する部材を備える、請求項１〜４のいずれかに記載の照明装置。
【請求項６】
運転席と助手席との間の車両室内天井部に設けられる照明装置であって、
放出光の一部が車両室内の照明に使用される第１光源と、
乗員の周囲の照明に使用される第２光源と、
前記第１光源を挟んで配置される、前記第２光源を制御する２つのスイッチであって、該スイッチの前記第１光源側の各縁部が導光体により構成され、該導光体の一部が前記第１光源の光の一部を受ける位置にあるスイッチと、
を備える照明装置。
【発明の詳細な説明】
【技術分野】
【０００１】
本発明は照明装置に関する。詳しくは、車両室内天井部に設けられる照明装置に関する。
【背景技術】
【０００２】
自動車の室内において、夜間や暗所で地図等を見ることができるように、乗員の周囲を照明することが行われている。このような照明装置（マップランプ）は通常、車両室内天井部に設置される。尚、車両室内天井部に設けられるランプの一例が特許文献１に開示される。
【０００３】
【特許文献１】特開２００２−１２７８２１号公報
【発明の開示】
【発明が解決しようとする課題】
【０００４】
マップランプは車両室内が暗い時に使用されるものであるが、車両室内が暗い時にはマップランプのスイッチの位置を把握しづらい。加えて、マップランプのスイッチは車両室内の天井部に設けられることが多いため、外部から光が入ったとしても光が届きにくく、その位置を把握しづらい。この問題を解決するため、マップランプのスイッチを外部から照明することや、マップランプのスイッチに光源を内蔵して発光させることなどの対策が考えられる。このようにすれば、車両室内が暗い時でも光によってマップランプのスイッチの位置を把握しやすくなる。しかし、スイッチを車両室内という限られたスペースに設けることを考慮すれば、マップランプのスイッチを照明するための専用の光源を設けることや、マップランプのスイッチ内に光源を組み込むことは現実的には難しい。また、限られたスペースにマップランプ、マップランプのスイッチ及び光源を設置することは取り付け作業を煩雑にする。
そこで本発明は、車両室内のマップランプのスイッチの位置を夜間等でも容易に把握できる照明装置を提供することを目的の一つとする。また、車両室内のデザイン性の向上に寄与する照明装置を提供することをさらなる目的とする。さらに、取り付け作業効率の点でも優れた照明装置を提供することも目的の一つとする。
【課題を解決するための手段】
【０００５】
本発明は以上の目的の少なくとも一つを達成するために、以下に示す照明装置を提供する。即ち、
運転席と助手席との間の車両室内天井部に設けられる照明装置であって、
放出光の一部が車両室内の照明に使用される第１光源と、
乗員の周囲の照明に使用される第２光源と、
前記第２光源を制御するスイッチであって、前記第１光源の近傍に設けられ、且つ前記第１光源側の縁部が前記第１光源の放出光の一部を利用して発光するスイッチと、
を備える照明装置である。
【発明の効果】
【０００６】
本発明の照明装置では、第１光源の放出光の一部は室内照明に使用され、他の一部はスイッチの発光に利用される。本発明の照明装置によると、スイッチが発光することによって、暗所でもスイッチの位置を容易に把握することが可能となる。さらに、スイッチ自体が発光するため、スイッチの移動とともに発光部が移動する。つまり、スイッチを操作したときに光が移動する。これによって、スイッチを押したことを光によって確認できることから、安心感が得られ、操作性が向上する。さらに、スイッチの第１光源側の縁部を発光させることにより第１光源と発光部が近接し、第１光源から発光部までの導光路が短くなる。これによって光のロスが軽減される。また、スイッチの縁部のみを発光させることにより、必要以上の光が観察されず、車両室内の雰囲気を損ねない。また、室内照明に使用する光源の光の一部を利用してスイッチを発光させるため、スイッチ用の光源を別途設ける必要がない。このように室内照明用の光源とスイッチ用の光源を共通化することで部品数の削減ができ、低コスト化が図れ、及び取り付け作業性も向上する。
【発明を実施するための最良の形態】
【０００７】
以下、本発明における照明装置の構成要素について詳細に説明する。
（第１光源及び第２光源）
本発明の第１光源は放出光の一部により車両室内を照明する。例えば、第１光源の光の一部は車両室内のセンターコンソール付近を照明する。第２光源は例えばマップランプなどのスポットライト用の光源として使用される。第１光源及び第２光源の種類は特に限定されず、例えば、LED、電球（バルブ）などを第１光源及び第２光源として用いることができる。中でもLEDを用いることが好ましい。LEDは小型であるため光源用のスペースが少なくて済むという利点を有する。またLEDは消費電力が小さいことから省エネルギー化の要請にも沿うものである。更にLEDは発熱量が小さく周りの部材に与える影響が少ないといった利点も併せ持つ。加えてLEDは長寿命であるからメンテナンスの面などからも有利なものとなる。更に言えば、LEDは振動、衝撃に強いことから信頼性の高い光源を構成できるといった利点もある。LEDのタイプは特に限定されず、砲弾型、SMD型等、種々のものを採用できる。チップオンボード型のLEDを用いても良い。尚、複数のLEDを第１光源又は第２光源として用いても良い。LEDの発光色は特に限定されず、白、赤、緑、青等の光を発生するLEDを採用できる。
【０００８】
尚、第１光源又は第２光源の放出光の一部を、色変換部材（色変換層）を用いて本来の色とは異なる色の光に変換することができる。白色ＬＥＤを用いる場合、色変換層としては、例えば、透光性インクの塗布、有色透明テープ若しくはフィルムの貼付、有色の透光性樹脂層の形成などにより形成することができる。又、青色ＬＥＤを用いる場合は、色変換層としては無機系（例えばＹＡＧ：Ｃｅ）又は、有機系蛍光体を含むフィルムとすることができる。例えば、第１光源の光軸方向に色変換層を設け、光軸方向に進行する光の色のみを所定の色に変換することができる。
【０００９】
（スイッチ）
スイッチは第１光源の近傍に設けられる。スイッチのタイプは特に限定されず、プッシュタイプ、スライドタイプなど周知のタイプを採用できる。本発明の照明装置は複数のスイッチを備えていても良い。例えば、第１のスイッチと第２のスイッチとを備えていても良い。第１のスイッチと第２のスイッチとを備える場合、互いに異なるタイプのスイッチを採用しても良い。第１のスイッチと第２のスイッチは、例えば、第１光源を挟むように配置することができる。なお、スイッチは第２光源の点灯状態を制御する。
【００１０】
スイッチは第１光源の放出光の一部を利用して発光する。スイッチの発光する部位（発光部）は、スイッチの第１光源側の縁部に備えられる。スイッチが発光することにより、暗所でもスイッチの位置を容易に把握することが可能となる。さらに、スイッチ自体が発光するため、スイッチの移動とともに発光部が移動する。つまり、スイッチを操作したときに光が移動する。これによって、スイッチを押したことを光によって確認できることから、安心感が得られ操作性が向上する。さらに、スイッチの第１光源側の縁部が発光することとした。スイッチの縁部のみを発光させることにより、車両室内の他の発光部とのバランスを崩さず、車両内の雰囲気を損ねない発光態様が実現される。仮に発光部の領域が大きければ、暗所でのスイッチの視認性は増す。しかし、必要以上に発光部の領域を拡大すると余計な光量が必要となる。加えて、車両室内の他の発光部等とのバランスが崩れ、車両室内の雰囲気を損ねることとなり高級感に欠けることとなる。なお、スイッチの、第１光源側の縁部に発光部を設けると、第１光源と発光部とが近接することとなる。これにより、第１光源から発光部までの導光路が短くなるため光のロスも軽減される。
【００１１】
本発明の照明装置が運転席と助手席との間の車両室内天井部に設置された状態において、車両室内を照明する光の放出位置から見て乗員（操作者）側に位置するように照明装置内でスイッチを配置することが好ましい。この構成では、スイッチの発光部は、乗員（操作者）から見て遠い側に位置する。即ち、発光部の手前側にスイッチの大部分が存在する。従って、光に向かって手を伸ばしたときにスイッチを押し易い。
【００１２】
発光部の形状は、第１光源側の縁部に沿った線状であることが好ましい。車両室内の雰囲気を損ねずにスイッチ位置を明瞭に表示することができるからである。このとき、スイッチの縁部が湾曲した形状である場合には、湾曲した形状の縁部に沿って発光部を曲線状に形成してよい。第１光源側の縁部全域に発光部を設けることが更に好ましい。暗所でのスイッチの視認性をより向上させることができるからである。
【００１３】
発光部には光拡散処理が施されていることが好ましい。発光部からの放出光を拡散放出することで、放出光の輝度を均一化できるからである。また、つや消し感のある発光態様が得られるからである。発光部には光拡散処理を施さず、後述の反射面に光拡散処理を施してもよい。かかる態様では、光が外部放射される面が平滑であるから、透明感のある発光態様となる。光拡散処理の方法としては、シボ処理、光拡散フィルムの貼付など、周知の方法を採用できる。
【００１４】
スイッチの一部を導光体により形成しても良い。導光体の材質としては、アクリル樹脂、ポリエチレンテレフタレート（ＰＥＴ）、ポリカーボネート樹脂、シリコーン樹脂、エポキシ樹脂等の合成樹脂や、ガラスなどの無機材料を挙げることができる。スイッチの一部を導光体により形成した場合、導光体の表面（側面又は端面）の一部を第１光源の放出光の一部を受光する受光部とし、他の一部を発光部とすることができる。この態様では、第１光源の放出光の一部は導光体の一部（受光部）に照射し、導光体内に一旦取り込まれる。取り込まれた光は導光体内を進行した後、導光体の一部（発光部）から放出される。
受光部は第１光源の側方に対向するように設けることが好ましい。第１光源の放出光の主たる進行方向（光軸方向）に対して側方に進行する光を効率的に導入することができるからである。又は、導光体とは独立して受光部を設けてもよい。例えば、受光部を反射面として、反射作用を利用して発光部から放出される光を生じさせることができる。受光部を反射面とする場合に使用可能な光反射性材料としては、アルミ等の金属、ポリプロピレン樹脂やポリカーボネート樹脂等の合成樹脂等を例示できる。
【００１５】
導光体内に光散乱剤を含有させてもよい。導光体内における光の拡散を促進でき、導光体の発光部からより均一な輝度の光が放出されるからである。光散乱剤としては例えば所定の粒径を有するガラス、アルミなどの金属、導光体と光の屈折率の異なる樹脂、シリカなどを用いることができる。
無色透明の導光体の他、着色した導光体を使用することもできる。例えば、導光体内に顔料などの着色剤を含有させてもよい。または導光体の受光部若しくは発光部に色変換層を設けることもできる。このようにすれば、光源本来の色と異なる色の光を発光部から放出させることが可能となる。尚、色変換層は、例えば、透光性インクの塗布、有色の透光性テープの貼付、有色の透光性樹脂層の形成などにより形成することができる。
【００１６】
導光体が蛍光体を含んでいてもよい。光源の光を受けて蛍光するものであれば有機系、無機系を問わず、所望の蛍光色を発する蛍光体を適宜選択して使用することができることができる。例えば、ＹＡＧ：Ｃｅ等の無機系蛍光体を導光体に混入させ、青色ＬＥＤを第１光源に用いることにより、青色の照明と白色の表示とすることができる。又、ＹＡＧ：Ｃｅ等の無機系蛍光体を導光体の視認部近くに配置すると無機系蛍光体による拡散光を観察するため乳白色を得ることができる。
【００１７】
以下に、実施例を用いて本発明をより詳細に説明する。
【実施例１】
【００１８】
本発明の一の実施例である照明装置１の正面図を図１に示し、図１のＡ−Ａ位置での断面図を図２に示す。
照明装置１は運転席と助手席の間の車両室内天井に設置される。照明装置１は左右対称の構成であって、ケーシング２内に２つのスイッチ３、光透過孔４、２つのマップランプ（第２光源）５を備える。照明装置１のほぼ中央には第１光源６が設けられる。第１光源６は砲弾型の白色ＬＥＤであり、基板６１にマウントされている。第１光源６の光軸６２の方向には、光透過孔４を形成する配光制御用のカバー４２が設けられる。カバー４２の光透過孔４には色変換用のフィルタ４１が取り付けられている。フィルタ４１はアンバー色の透光性フィルタであり、第１光源の放出する白色の光をアンバー色の光に変換する。
第１光源６の左右（運転席側及び助手席側）の近傍にはスイッチ３が設けられる。スイッチ３の第１光源６側の側部は無色のアクリル樹脂製の導光体７により形成されている。導光体７の形状は、図２に示すように縦断面が略Ｌ字型に屈曲した板形状である。導光体７の第１光源６側の端部７１は、第１光源６の放出光の一部を受光する受光部７１となる。一方、導光体７の観察面側の端部７２は受光部７１が受光した光を放出する発光部７２となる。発光部７２は導光体７の観察面側（乗員側）に露出した上面である。発光部７２の形状はスイッチ３の縁部に沿った線状である（図１を参照）。発光部７２には光拡散処理としてシボ加工が施されている。符号７４で示す導光体７の観察面側に露出した側面には光の漏洩防止用に非透光性樹脂によるマスキングが施されている。導光体７の受光部７１及び発光部７２以外の面７３は反射面７３となっている。なお、スイッチ３の導光体７以外の部分３１は非透光性樹脂により形成されている。
スイッチ３は背後にスイッチ機構３２を備える。スイッチ機構３２はプッシュ式のスイッチ機構であって、マップランプ５と電気的につながっている。これによりスイッチ３によってマップランプ５の点灯状態が制御される。一方、第１光源６は車両本体の車幅灯（図示せず）と連動してその点灯状態が制御される。なお、図２において、左側のスイッチ３は押し込まれた状態であり、右側のスイッチ３は押し込まれていない状態である。
【００１９】
以下に照明装置１の使用態様を説明する。夜間等に車幅灯と連動して第１光源６が発光する。第１光源６から放出された光の中で光軸６２の方向に進行する光はフィルタ４１を通る際にアンバー色に色変換された後、カバー４２で配光制御されて光透過孔４からシフトレバー付近へ照射する。一方、第１光源６から放出された光の中で光軸６２に対して側方に進行する光は受光部７１へ照射する。受光部７１が受光した光は導光体７内に導入される。導光体７内に導入された光は、反射面７３により導光体７内で反射を繰り返して進行し、発光部７２から観察面側から放射する。発光部７２には光拡散処理が施されているため、導光体７内の光は発光部７２から放出されるときに拡散する。その結果、スイッチ３の第１光源６側の縁部（発光部７２）が均一化された輝度で線状に白色発光して観察される。
【００２０】
以上のように、照明装置１は夜間等に車幅灯と連動して、シフトレバー付近をアンバー色で照明すると同時にスイッチ３の第１光源側の縁部の発光部７２を白色発光させる。これにより、車両室内が暗い時でもスイッチ３の位置を容易に把握できることとなり、マップランプ５使用時の操作性が向上する。さらに、スイッチ３自体が発光部７２を備えるため、スイッチ３の移動とともに発光部７２が移動する。これによって、スイッチ３を押したことを発光部７２の光の移動によって確認できることから、安心感が得られ、操作性が向上する。照明装置１ではスイッチ３の縁部のみを発光させることにより、車両室内の他の発光部との光のバランスを崩さず、車両室内の雰囲気を損ねない発光態様が実現される。
照明装置１では、スイッチ３の発光部７２は、乗員（操作者）から見て遠い側の縁部に設けられる。これにより、乗員（操作者）がスイッチ３を操作する際には、発光部７２に向かって手を伸ばせば、自ずとスイッチ３の非透光性樹脂部材３１に手が触れることとなるため操作性が良い。また、室内照明用の第１光源６の放出光の一部を利用してスイッチ３を発光させるため、スイッチ３を発光させるための光源を別途設ける必要がなく、光源用のスペースが少なくて済む。さらに、室内照明用の第１光源６とスイッチ３を発光させるための光源とを共通化することで部品数が減り、低コスト化及び取り付け作業性の向上が達成される。
【００２１】
なお、照明装置１では、スイッチ３の導光体７を第１光源６側の側面に露出するように設けたが、スイッチ３の側面に露出しないように設けてもよい。即ち、側面７４が非光透過性樹脂部材３１内に埋め込まれるようにしてもよい。このようにすれば、側面７４に光漏洩防止用に非透光性樹脂によるマスキングを施す必要がない。
【００２２】
この発明は上記発明の実施の態様及び実施例の説明に何ら限定されるものではない。特許請求の範囲を逸脱せず、当業者が容易に想到できる範囲で種々の変形態様もこの発明に含まれる。
【産業上の利用可能性】
【００２３】
本発明の照明装置は、車両室内の照明装置としてその利用が図られる。
【図面の簡単な説明】
【００２４】
【図１】図１は本発明の他の実施例である照明装置１の正面図である。
【図２】図２は図１におけるＡ−Ａ位置の断面図である。
【符号の説明】
【００２５】
１  照明装置
２  ケーシング
３  スイッチ
３２  スイッチ機構
５  マップランプ（第２光源）
６  第１光源
７  導光体
７１  受光部
７２  発光部
７３  反射面
【図１】
2006232092.tif 000003
【図２】
2006232092.tif 000004